(57)【特許請求の範囲】
【請求項１】
脚の上部に取付けられていて上側に座部を有するベース部材と、
このベース部材に対して相対的に回動可能に配置されており一方のバネ受け部を含む背凭れアームと、
一端側がベース部材に連結され背凭れアームをこえた他端側に他方のバネ受け部を有するバネ力伝達部材と、
一方のバネ受け部と他方のバネ受け部の間に配置されたコイルスプリングを有し、
背凭れアームの後傾時にコイルスプリングを圧縮する構成である椅子であって、
背凭れアームが後傾するに従って、背凭れアーム上でバネ力が作用している部分が回動しようとする接線方向に対して相対的に、コイルスプリングを圧縮する方向が徐々に変化していく反力機構を有し、反力機構の一方のバネ受け部が背凭れアームに首振り可能に配置された別体の部材であることを特徴とする椅子。
【請求項２】
脚の上部に取付けられていて上側に座部を有するベース部材と、
このベース部材に対して相対的に回動可能に配置されており一方のバネ受け部を含む背凭れアームと、
一端側がベース部材に連結され背凭れアームをこえた他端側に他方のバネ受け部を有するバネ力伝達部材と、
一方のバネ受け部と他方のバネ受け部の間に配置されたコイルスプリングを有し、
背凭れアームの後傾時にコイルスプリングを圧縮する構成である椅子であって、
背凭れアームが後傾するに従って、背凭れアーム上でバネ力が作用している部分が回動しようとする接線方向に対して相対的に、コイルスプリングを圧縮する方向が徐々に変化していく反力機構を有し、反力機構の他方のバネ受け部がバネ力伝達部材に首振り可能に配置された別体の部材であることを特徴とする椅子。
【請求項３】
脚の上部に取付けられていて上側に座部を有するベース部材と、
このベース部材に対して相対的に回動可能に配置されており一方のバネ受け部を含む背凭れアームと、
一端側がベース部材に連結され背凭れアームをこえた他端側に他方のバネ受け部を有するバネ力伝達部材と、
一方のバネ受け部と他方のバネ受け部の間に配置されたコイルスプリングを有し、
背凭れアームの後傾時にコイルスプリングを圧縮する構成である椅子であって、
背凭れアームが後傾するに従って、背凭れアーム上でバネ力が作用している部分が回動しようとする接線方向に対して相対的に、コイルスプリングを圧縮する方向が徐々に変化していく反力機構を有し、反力機構のバネ力伝達部材がベース部材に対して首振り不能に保持されており、背凭れアームが後傾するに従って一方のバネ受け部の水平方向位置がバネ力伝達部材及び他方のバネ受け部に対して相対的に移動していくものであることを特徴とする椅子。
【請求項４】
脚の上部に取付けられていて上側に座部を有するベース部材と、
このベース部材に対して相対的に回動可能に配置されており一方のバネ受け部を含む背凭れアームと、
一端側がベース部材に連結され背凭れアームをこえた他端側に他方のバネ受け部を有するバネ力伝達部材と、
一方のバネ受け部と他方のバネ受け部の間に配置されたコイルスプリングを有し、
背凭れアームの後傾時にコイルスプリングを圧縮する構成である椅子であって、
背凭れアームが後傾するに従って、背凭れアーム上でバネ力が作用している部分が回動しようとする接線方向に対して相対的に、コイルスプリングを圧縮する方向が徐々に変化していく反力機構を有し、反力機構のバネ受け部が背凭れアーム及びバネ力伝達部材に首振り可能に配置された別体の部材であり、背凭れアームの後傾状態にかかわらずコイルスプリングを圧縮する方向に両方のバネ受け部材が互いに向き合っているものであることを特徴とする椅子。
【請求項５】
反力機構の背凭れアーム上でバネを圧縮する作用点が回動しようとする接線方向とバネが圧縮される方向のなす角度を、背凭れアームが最も起立した姿勢から後傾するに従って大きくなっていくように変化させるものであることを特徴とする請求項１、２、３または４に記載の椅子。
【請求項６】
反力機構のバネ力伝達部材がコイルスプリングの内側を貫通するように配置されているものであることを特徴とする請求項１、２、３、４または５に記載の椅子。
【請求項７】
背凭れアームの後傾動作に連動して動かない座部と、ベース部材下方に回転可能に軸止めされた背凭れアームと、背凭れアームの回転軸より後方に前記反力機構を配置したことを特徴とする請求項１、２、３、４、５または６に記載の椅子。
【発明の詳細な説明】
【０００１】
【発明の属する技術分野】
本発明は、背凭れを傾動させることができるチルト機構を有した椅子に関する。
【０００２】
【従来の技術】
従来、背座シンクロチルトや背のみのチルトなどを含め種々の背凭れチルト機構を有した椅子が開発されているが、代表的には、脚等を取り付けるベース部材と、このベース部材に基端部を回動可能に支持させた背凭れアームを具備した上で、背座シンクロチルトの場合は、前記ベース部材に前端部をスライドかつ回転可能に支持させ、後端部を背凭れアームの基端部近傍に回転可能に支持させた座と、座の下部に傾動に伴って相対距離の変化する２点間に介在するように接続されたバネを有し、背のみのチルトの場合は、背凭れアームの基端部近傍で座の下部や、背凭れアームの基端部と背凭れの間かつ座の後方下部で、背凭れの傾動に伴って相対距離の変化する２点間に介在するように接続されたバネを有したものが知られている。そしてこれらの椅子は、背凭れアームに固定した背凭れを後傾させた場合にも、バネが背凭れ又は座を起立姿勢に傾動させる傾動力を付与することで常に起立姿勢に戻るように構成されている。
【０００３】
【発明が解決しようとする課題】
ところで、これらチルト機構を有した椅子は、通常、背凭れを後傾させていくに従って、着座者が背凭れにかけなければならない力が直線的に増加し、背凭れを大きく後傾させようと思えば大きな力が必要になる。
【０００４】
背凭れの後傾量が大きくなってくると、着座者はその上半身の体重を背凭れにかけることで背凭れを後傾させていくことになるが、体重をかけるだけでなく筋力を使わないと大きく後傾できなかったり、小柄な人や体重の軽い女性などは満足に後傾姿勢がとれなかったりする。
【０００５】
また小さな力で済むように、背凭れを最大限後傾させた場合でもバネの圧縮量を小さく設定したり、バネ定数の小さなバネを使用したりすると、背凭れが起立姿勢近傍に有るときのバネの初期傾動力も小さくなってしまい、着座者が背凭れに少しもたれただけで、意図しないほど大きく後傾してしまうという問題が有る。
【０００６】
また、通常、バネの傾動力を調整するための機構が有るが、これはバネの初期圧縮量を変えることで傾動させるための初期力を変更し、見かけ上のバネ定数を変化させるもので、背凭れの後傾に従って傾動力が直線的に増加することに変わりはない。
【０００７】
【課題を解決するための手段】
上記の問題点を解決するために、本発明に係る椅子は、脚の上部に取付けられていて上側に座部を有するベース部材に対して相対的に回動可能に配置されており一方のバネ受け部を含む背凭れアームと、一方側がベース部材に連結され背凭れアームをこえた他方側に他方のバネ受け部を有するバネ力伝達部材と、一方のバネ受け部と他方のバネ受け部の間に配置されたコイルスプリングを有し、背凭れアームの後傾時にコイルスプリングを圧縮する構成である椅子であって、背凭れアームが後傾するに従って、背凭れアーム上でバネ力が作用している部分が回動しようとする接線方向に対して相対的に、コイルスプリングを圧縮する方向が徐々に変化していく反力機構を特徴とする。
【０００８】
このようなものであれば、背凭れアームが後傾するに従い、コイルスプリングが圧縮されてコイルスプリングの全反力は大きくなっていくが、同時に背凭れアームが回動しようとする方向に対して、コイルスプリングの全反力の方向が徐々にずれていくため、コイルスプリングが背凭れアームを起立姿勢に戻そうとする反力の有効成分の大きさが増減することになる。背凭れアーム後傾時のコイルスプリングの圧縮の程度と方向のずれ方を設定することで、コイルスプリングが背凭れアームを起立姿勢に戻そうとする反力の変化具合をさまざまに設定でき、ひいては背凭れをチルトさせるための基本的なシステムを変更すること無く、椅子の座り心地の設計の自由度を大きくすることができる。
【０００９】
これは、背凭れの後傾に連動して座がスライドや回転する背座シンクロチルト機構や、座が固定で背凭れのみ後傾する背チルト機構に適用することができる。また、背凭れが起立姿勢近傍に有るときの背凭れ初期反力に対して、背凭れを大きく後傾させていったときの反力の増加程度をあまり大きくしないように設定するには、反力機構が、背凭れアーム上のバネを圧縮する作用点が回動しようとする接線方向とバネが圧縮される方向のなす角度を、背凭れアームが最も起立した姿勢から後傾するに従って大きくなっていくように変化させるものであることが好ましい。こうすることで、背凭れを後傾させていくに従ってコイルスプリングは圧縮されていくが、背凭れアームを起立姿勢に戻そうとする反力の有効成分の大きさとしては、コイルスプリングの圧縮度合いほど大きくならないようにすることができ、背凭れアームの回動接線方向とバネの方向のなす角度の変化のしかたの設定によっては、例えば、背凭れを後傾させる時、起立位置近傍ではほぼ直線的に背凭れ反力を増加させ、ある程度後傾させた位置からさらに後傾させる場合は背凭れ反力の増加程度を緩やかにしていくといったことも可能である。
【００１０】
さらに、より簡単な構造でこれを実現するためには、反力機構を、バネ力伝達部材がベース部材に対して首振り不能に保持されており、背凭れアームが後傾するに従って一方のバネ受け部の水平方向位置がバネ力伝達部材及び他方のバネ受け部に対して相対的に移動していく構成にすればよい。
【００１１】
このようにすれば、背凭れが後傾することで、背凭れアーム側のバネ受け部の水平方向位置が移動していく過程で、バネ力伝達部材上のバネ受け部のベース部材に対する位置は変わらないため、背凭れアームの回動接線方向とバネの方向のなす角度を容易に変化させていくことができる。
【００１２】
そして、背凭れを後傾させる時の、背凭れアーム、コイルスプリングやバネ受け部等、構成部材のスムーズな動作及び無理な力がかからないようにすることでの製品寿命の延長のためには、反力機構を、バネ受け部が背凭れアーム及びバネ力伝達部材に首振り可能に配置された別体の部材であり、背凭れアームの後傾状態にかかわらずコイルスプリングを圧縮する方向に両方のバネ受け部材が互いに向き合っているものにすることが好ましい。
【００１３】
また、よりコンパクトなシステムにするためには、反力機構を、バネ力伝達部材がコイルスプリングの内側を貫通するように配置されている構成にすることが考えられる。こうすることでスペースを有効に活用でき、コンパクトな設計が可能である。さらにこうすることで、背凭れを後傾させていったときに、コイルスプリングの方向が変化できる範囲は、バネ力伝達部材がコイルスプリングの内径に収まる範囲に限定される反面、コイルスプリングに外力など予想外の力が働いた場合にもバネ受けからコイルスプリングが外れるなどのトラブルを防ぐことができる。
【００１４】
さらに、背凭れアームの後傾動作に連動して動かない座部と、ベース部材下方に回転可能に軸止めされた背凭れアームと、背凭れアームの回転軸より後部に前記反力機構を配置することで、椅子全体のシステムを背凭れのみのチルト機構として、シンプルかつ安価でありながら、後傾時の座り心地を大きく向上させることができる。
【００１５】
【発明の実施の形態】
以下、本発明の一実施の形態について図面を参照して説明する。
【００１６】
本実施形態に係る椅子は、図１に側面図、図２に背面図を示すように、キャスタＣを有する脚羽根１１及び脚支柱１２からなる脚１と、この脚１に支持され座２を上部に有する支持体４と、この支持体４の後方から起立する背凭れ３とを具備するもので、背凭れ３を後傾させたときに座２は連動して動かない背のみのチルト機構を有する。
【００１７】
具体的な構造と部品構成について図３、図４を参照して説明する。
【００１８】
すなわち、この椅子は、座２及び背凭れ３全体を昇降させるために前記脚支柱１２の内部に配置されたガススプリングＧＳの上部に、ベース部材２１をその上部に有するガススプリング受け４１を取付け、背凭れアーム３１の前端部近傍を前記ガススプリング受け４１に背凭れアーム回転軸３２をもって回動可能に取り付けている。また、前記背凭れアーム３１は、その前部がベース部材２１の下方に位置するように配置され、座２の後端部より後方で上方に曲がって、その上部で背凭れ３を保持しており、背凭れアーム３１には、ベース部材２１の後端部近傍下方に該当する位置にバネ圧縮作用点３３がくるように、バネ圧縮作用点３３を有するバネ受けブラケット３４を一体に取り付けてある。
【００１９】
前記バネ圧縮作用点３３は、椅子の左右方向の回転軸受を形成しており、ここに上バネ受け部材５１を椅子の前後方向に首振り可能に、バネ受け面が下に向くように取り付けてある。また、前記上バネ受け部材５１の上面部には、バネ力伝達部材５３を貫通しながら前後方向に移動可能なように、前後方向の長穴が設けてある。
【００２０】
次にコイルスプリングＳＰを上バネ受け部材５１のバネ受け面と下バネ受け部材５２のバネ受け面で挟まれるように配置し、ベース部材２１の後端部近傍に、下端部にはネジが形成してあるバネ力伝達部材５３を下向きに、上バネ受け部材５１、コイルスプリングＳＰ、下バネ受け部材５２を貫通するように、またベース部材２１に対して首振り、回転共に不可能なように取付け、バネ力伝達部材５３の下端部に操作部ＳＳをねじ込んで固定する。操作部ＳＳのねじ込み加減によってコイルスプリングＳＰの初期圧縮量を変化させ、背凭れ３の全般的な反力を調整する。ここで下バネ受け部材５２は、バネ力伝達部材５３を貫通させながら、操作部ＳＳに首振り可能なように、底面中心部の窪み部５２２と操作部ＳＳ上に配置した首振り用部材５４の先端Ｒ部５４２が係わるようになっており、その窪みの中央にバネ力伝達部材貫通孔５２１が有る。
【００２１】
図５を参照して本チルト機構の主要部品を詳述すると、脚羽根１１中央部の孔にテーパー嵌合されているガススプリングＧＳの上部に、鋼板の曲げと溶接で作られたガススプリング受け４１がテーパー嵌合されており、ガススプリング受け４１は、その上部に設けた４つの位置決め突起４１２をベース部材２１の４つの位置決め孔２１１に嵌めあわされて、一体になるように溶接してある。
【００２２】
背凭れアーム３１は、略Ｌ型に曲げた丸パイプを２本平行に並べ、上端近傍には背凭れ取付けブラケット３５が２本の丸パイプにまたがるように溶接されており、中間部にはバネ受けブラケット３４が２本の丸パイプにまたがるように溶接されているものであって、その下側先端部近傍に設けた背凭れアーム回転軸取付孔３１１が、ガススプリング受け４１に設けた背凭れアーム回転軸取付孔４１３の位置に隣り合うように、ガススプリング受け４１の左右両外側に配置され、背凭れアーム回転軸３２を２つの部材の取付孔３１１，４１３を貫通するように取付けて、その両端部をＥリングなどで、抜け落ちないように止めている。この構成によって、背凭れアーム３１は背凭れアーム回転軸３２を中心に、ガススプリング受け４１及びベース部材２１に対して回動可能となっており、ガススプリング受け４１の後部に鋼板を上向きに曲げて構成した、後傾ストッパ４１４に当たるまで後傾可能になっている。
【００２３】
バネ受けブラケット３４は、鋼板の４辺を曲げたもので、下向きに曲げた左右辺の略中央部に半円形の切欠きを設け、そこには図示しない樹脂製の軸受け部材がはめ込んである。ここがコイルスプリングＳＰから背凭れアーム３１を起立姿勢に回動させる反力を受ける、バネ圧縮作用点３３である。またバネ受けブラケット３４の中央部には、後述する上バネ受け部材５１との干渉を回避するための円形開口部が設けられている。背凭れアーム３１は前記２本の略Ｌ型丸パイプと背凭れ取付けブラケット３５とバネ受けブラケット３４が一体となることで、背凭れ３を保持するために必要な強度、剛性を確保している。
【００２４】
上バネ受け部材５１は、鋼板を、上面の周囲に下向きの壁面を有する略円形皿形状に絞り加工したもので、この形状によって後述するコイルスプリングＳＰを安定して保持することができる。また、壁面の左右両側に上向き円柱面を有するバネ受け首振り軸５１２を、上バネ受け部材５１の絞り加工時に同時に成形している。上バネ受け部材５１は、その中央部を上下方向に、後述するバネ力伝達部材５３が貫通するため、バネ受け首振り軸５１２を連続した一本の軸とすることができず、その中央部で軸の左右を分断する必要が有るが、コイルスプリングＳＰの反力を受けられる強度が要求されるため、このように一体絞り加工で作成されている。またこの上面には、バネ力伝達部材５３を貫通させるための椅子前後方向に向いたバネ力伝達部材貫通長孔５１１が形成されており、円柱面の下部後方には、メカ部カバー取付孔５１３を有するツバ部が形成されている。
この上バネ受け部材５１は、バネ受け首振り軸５１２を、背凭れアーム３１のバネ圧縮作用点３３に回転可能に配置される。
【００２５】
下バネ受け部材５２は、鋼板を、底面の周囲に上向きの壁面を有する略円形皿形状に絞り加工したもので、この形状によって後述するコイルスプリングＳＰを安定して保持することができる。また、後述する首振り用部材５４を介して、バネ力伝達部材５３に対して首振り回動可能なように、底面が上向きに突出した横向き半円柱形状の窪み部５２２が形成され、その中央部にバネ力伝達部材５３を貫通させるためのバネ力伝達部材貫通孔５２１が形成されている。
コイルスプリングＳＰは、前記上バネ受け部材５１と下バネ受け部材５２に挟まれるように配置される。
【００２６】
メカ部カバーＭＣは、上方に開口し下面を有する略コ字形状で、下面にコイルスプリングＳＰを通すことができる大きさの円形孔を有し、この円形孔外周部から下方に向かって底面を有しない円筒側壁が延びている。また、略コ字形状の下面で前記円形孔の後部に、上バネ受け部材５１のメカ部カバー取付孔５１３に対応する取付孔ＭＣ１が有る。
【００２７】
首振り用部材５４は、下バネ受け部材５２を、後述する操作部ＳＳをねじ込むことでコイルスプリングＳＰを圧縮しながら、バネ力伝達部材５３に対して首振り回動可能に保持するためのもので、上向き鋭角に曲げた鋼板の先端Ｒ部５４２の中央にバネ力伝達部材貫通孔５４１を設け、その下部に肉厚円筒部を有している。首振り用部材５４は、先端Ｒ部５４２が下バネ受け部材５２の窪み部５２２に下面側から接触し、ここに下バネ受け部材５２の仮想的な首振り軸線５５を形成するように配置される。
【００２８】
操作部ＳＳは、外形略円盤形状で中央部の厚み方向に、バネ力伝達部材５３の先端ねじ部５３２にねじ込まれる雌ねじが形成されている。
バネ力伝達部材５３は、半球型上端部の下面に四角柱型の回転止め部５３１を有し、その下面中央部から下向きに円柱型の軸部が伸びており、軸部の下端部近傍には、ねじである先端ねじ部５３２が形成されている。一方、ベース部材２１後端部近傍のバネ力伝達部材取付孔２１２は、四角柱状の凹陥部の底面中央部に円形孔を有することで、バネ力伝達部材５３の回転止め部５３１を嵌合して、後述する操作部ＳＳをねじ込む際に、一体に回転しないように保持できるようになっており、前記円形孔周囲の下面側に下方に伸びる円筒形状を有することで、バネ力伝達部材５３の首振りを防止できるようになっている。
【００２９】
このベース部材２１のバネ力伝達部材取付孔２１２に、上方からバネ力伝達部材５３を貫通させ、回転しないように配置すると同時に、このバネ力伝達部材５３に下方から、上バネ受け部材５１のバネ力伝達部材貫通長孔５１１、コイルスプリングＳＰ、下バネ受け部材５２のバネ力伝達部材貫通孔５２１、首振り用部材５４のバネ力伝達部材貫通孔５４１を貫通させ、先端ねじ部５３２に操作部ＳＳをねじ込むことで、バネ力伝達部材５３が貫通している全ての部材を固定している。また、操作部ＳＳのねじ込み量を加減することで、コイルスプリングＳＰの初期圧縮量を変化させ、背凭れ３の全般的な反力を調整するようになっている。
【００３０】
メカ部カバーＭＣは、上方に開口した略コ字形状部が背凭れア−ム３１の一部をその左右両外側にわたってカバ−し、略コ字形状部の下方に延びる円筒部が上バネ受け部材５１、コイルスプリングＳＰ、下バネ受け部材５２の側面を覆うように下方から配置され、メカ部カバーＭＣの取付孔ＭＣ１を、上バネ受け部材５１のメカ部カバー取付孔５１３に位置をあわせてここでネジ止めされている。ここで、背凭れア−ム３１が最も直立した状態では、操作部ＳＳがメカ部カバーＭＣ下部の円筒部から下方に露出しており、操作可能となっている。
【００３１】
上記の構成による動作について以下に具体的に説明する。
【００３２】
図３は、背凭れ３が最も起立した姿勢を示したものであり、この時バネ圧縮作用点３３は、背凭れアーム回転軸３２に対してほぼ水平後方位置かつ下バネ受け部材５２の首振り軸線５５のほぼ中央真上にある。また、コイルスプリングＳＰは、少なくとも背凭れアーム３１を起立位置に保持できるバネ反力を発生する程度には圧縮された状態であり、この時、バネ力の方向、すなわちコイルスプリングＳＰの中央を通った上下の長さ方向は、バネ圧縮作用点３３がコイルスプリングＳＰの反力によって回動しようとする接線方向、すなわち背凭れアーム回転軸３２の軸心とバネ圧縮作用点３３を結んだ直線に対して、バネ圧縮作用点３３を起点に垂直上向き方向に向いており、この２つの方向はほぼ一致する。
よって、背凭れ直立姿勢近傍では、コイルスプリングＳＰの反力のほぼ全てが背凭れ３を起立姿勢に戻そうとする力になっている。但し、この時のコイルスプリングＳＰの圧縮量は少ないので、反力は小さい。
【００３３】
ここから背凭れアーム３１を後傾させていくと、バネ圧縮作用点３３は背凭れアーム回転軸３２を中心に下前方に向かって回動していくが、下バネ受け部材５２の首振り軸線５５は、前述したように、背凭れの後傾に伴って移動しない構造になっている。またバネ圧縮作用点３３がコイルスプリングＳＰの反力によって回動しようとする接線方向は椅子の後方に向けて傾いていくため、コイルスプリングＳＰの反力の方向に対して前記バネ圧縮作用点３３の回動接線方向はずれていくことになる。
【００３４】
図４は、背凭れ３を大きく後傾させた姿勢を示したものであり、この時バネ圧縮作用点３３は、背凭れアーム回転軸３２に対してほぼ下後方位置かつ下バネ受け部材５２の首振り軸線５５の前上方にある。この時、バネ力の方向、すなわちコイルスプリングＳＰの中央を通った上下の長さ方向は、バネ圧縮作用点３３がコイルスプリングＳＰの反力によって回動しようとする接線方向、すなわち背凭れアーム回転軸３２の軸心とバネ圧縮作用点３３を結んだ直線に対して、バネ圧縮作用点３３を起点に垂直上向き方向に向いており、この２つの方向は大きくずれている。
【００３５】
よって、この時大きく圧縮されたコイルスプリングＳＰの全反力Ｆ１に対して、背凭れアーム３１を起立姿勢に戻す方向に作用する反力成分Ｆyは小さくなる。なお、コイルスプリングＳＰの全反力Ｆ１、バネ圧縮作用点３３に作用する力の成分Ｆx、Ｆyの大きさと方向は、概念的に表わしたものである。
【００３６】
また、起立姿勢から後傾させていくと、反力Ｆyは、その大きさ自体は増加していくが、次第に増加割合は小さくなっていき、増加割合がゼロになる時がくる。ここで反力Ｆyは最大値であり、ここからさらに後傾させていくと、反力Ｆyが今度は減少していく方向に転じ、背凭れアーム回転軸３２、バネ圧縮作用点３３、下バネ受け部材の首振り軸線５５が一直線上に並んだとき反力Ｆyは再度ゼロになる。これよりもさらに後傾させると、背凭れアーム３１は起立姿勢に戻らなくなる。
【００３７】
背凭れアーム３１の後傾は、少なくとも、反力Ｆyが再度ゼロになる以前に停止させる必要がある。実用的には、反力Ｆyが最大値と再度ゼロの間の適切なところで背凭れアーム３１の後傾を停止させることが好ましい。場合によっては、反力Ｆyが最大値になる以前で背凭れアーム３１の後傾を停止させることも好ましい。本実施の形態では、後傾ストッパ４１４を用いて後傾を停止させている。また、背凭れアーム３１の後傾に伴ってコイルスプリングＳＰは椅子の前方に向かって傾いていくが、メカ部カバーＭＣは上バネ受け部材５１に固定されていて、コイルスプリングＳＰと同様に傾いていくため、メカ部カバーＭＣの円筒部は、上バネ受け部材５１、コイルスプリングＳＰ、下バネ受け部材５２の実質的な外形だけをカバーできる大きさで良く、コンパクトな設計にすることができる。ここまでの説明で明らかなように、背凭れアーム回転軸３２、バネ圧縮作用点３３、下バネ受け部材の首振り軸線５５の位置関係の設定を変えれば、背凭れアーム３１が後傾していく過程でコイルスプリングＳＰが背凭れアーム３１を起立姿勢に戻そうとする反力の変化をさまざまに設定することができる。
【００３８】
背凭れが最も起立した姿勢の時、背凭れアーム回転軸３２の軸心位置に対してバネ圧縮作用点３３が椅子の後方側で同高さ以下にあり、バネ圧縮作用点３３の真下に下バネ受け部材５２の首振り軸線５５があれば、背凭れを大きく後傾させていったときの反力の増加程度をあまり大きくしないようにできることは前記説明より明らかであるが、たとえば、バネ圧縮作用点３３の初期位置を、下バネ受け部材５２の首振り軸線５５の真上より後方にすれば、背凭れアーム３１が後傾していく過程で、バネ圧縮作用点３３が下バネ受け部材５２の首振り軸線５５の真上まで回動してくる間は、コイルスプリングＳＰは圧縮されながら方向も背凭れアーム３１を有効に回動させる方向に一致してくるため、背凭れ反力は急激に強くなってくるが、この点を過ぎると背凭れ反力の増加程度は緩やかになってくる。
【００３９】
これらは、下バネ受け部材５２の首振り軸線５５がベース部材２１のバネ力伝達部材取付孔２１２に対して、首振り不能に接続されていることによって、簡単な構造で実現されているが、背凭れ反力の変化程度をより顕著にしたいならば、背凭れアーム３１が後傾していく過程で、下バネ受け部材５２の首振り軸線５５の位置を固定しておくのではなく、積極的に椅子後方に向けて移動させることも考えられる。たとえば、ベース部材２１にバネ力伝達部材５３を、背凭れアーム３１が後傾するに従って、図５において反時計方向に回動するように関連付けて接続すればよい。一例としては、背凭れアーム回転軸３２を背凭れアーム３１と一体となって回転するようにし、背凭れアーム回転軸３２の長さ方向中央部に歯車を一体として回転するように設け、またバネ力伝達部材５３の上端部に椅子の左右方向を回転軸とする歯車を一体に設け、これをベース部材２１の後端部近傍に回転可能に取付け、この２つの歯車間に回転力を伝達できるように、ベース部材２１にいくつかの歯車を配置する。
【００４０】
または、バネ力伝達部材５３の上端よりやや下方をベース部材２１の後端部近傍に椅子の前後方向に回転可能に取付け、背凭れアーム３１が起立位置において、背凭れアーム回転軸３２の長さ方向中央部を下方に偏芯するクランク形状としたうえで背凭れアーム３１と一体となって回転するようにし、バネ力伝達部材５３の上端と背凭れアーム回転軸３２のクランク部を直線状のリンク部材で接続する等して、背凭れアーム３１とバネ力伝達部材５３を連動して回動させることが考えられる。
【００４１】
また、バネ圧縮作用点３３と下バネ受け部材５２の首振り軸線５５を結んだコイルスプリングＳＰの反力の方向と、バネ圧縮作用点３３が背凭れアーム回転軸３２の周りに回動しようとする方向のずれが小さな設計であれば、背凭れアーム３１、バネ力伝達部材５３に一体または固定でもよいが、前記方向のずれを大きくする場合、上・下バネ受け部材５１・５２自体が首を振って、方向の変化するコイルスプリングＳＰに追従する必要がある。こうすることで、コイルスプリングＳＰ自体が曲がったり、上・下バネ受け部材５１・５２に余計な方向の力が加わることが防げるため、スムーズな動作及び製品寿命の延長につながる。
【００４２】
また、バネ力伝達部材５３は、上バネ受け部材５１のバネ力伝達部材貫通長孔５１１、コイルスプリングＳＰ、下バネ受け部材５２のバネ力伝達部材貫通孔５２１、首振り用部材５４のバネ力伝達部材貫通孔５４１、操作部ＳＳを貫通して配置されており、これによって、スペースの有効活用によるコンパクトなシステムとなり、また、予想外の力が働いた場合にも上・下バネ受け部材５１・５２からコイルスプリングＳＰが外れるなどのトラブルを防止できる構造となっている。しかし、背凭れアーム３１を後傾させていったときに、コイルスプリングＳＰの方向が変化できる範囲は、バネ力伝達部材５３がコイルスプリングＳＰの内径に収まる範囲に限定されるため、前記のように、バネ圧縮作用点３３と下バネ受け部材５２の首振り軸線５５を結んだコイルスプリングＳＰの反力の方向と、バネ圧縮作用点３３が背凭れアーム回転軸３２の周りに回動しようとする方向のずれを大きく設計する場合、不利である。
【００４３】
このときは、バネ力伝達部材をコイルスプリングＳＰの左右の外側に配置し、その下端に下バネ受け部材５２を保持する構造にすることが考えられる。こうすることで、背凭れアーム３１を後傾させていったときの、バネ力伝達部材とコイルスプリングＳＰの干渉を防ぐことができ、前記方向のずれを大きく設計することが可能となる。
【００４４】
さらに、ベース部材２１および座２と、背凭れアーム３１の連動機構を設置しない場合、ベース部材２１および座２は、背凭れアーム３１の後傾動作に連動して動かず、また、背凭れアーム回転軸３２より後方に前記反力機構５を配置することで、椅子全体のシステムを背凭れのみのチルト機構として、シンプルかつ安価でありながら、後傾時の座り心地を大きく向上させることができるが、本発明はこれに限らず、背座の動作を連動させた背座シンクロチルト機構に適用させたり、座の前方に前記反力機構５を配置することもできる。
【００４５】
以下、図６を参照して説明する。ここで、図１から図５に対応する部材については、同一の名称、符号を付けている。
【００４６】
背凭れアーム３１は、下方に略９０度曲がった頂点部分を、ベース部材２１の後部上面側に、背凭れアーム回転軸３２によって回動可能に保持されている。背凭れアーム３１は、前方に伸びた先端部近傍が左右に分かれ、その間に上バネ受け部材５１を上バネ受け部材首振り軸５１２で回動可能に保持している。この上にコイルスプリングＳＰが配置され、その上に下バネ受け部材５２が配置されている。
【００４７】
バネ力伝達部材５３は、下バネ受け部材５２、コイルスプリングＳＰ、上バネ受け部材５１、ベース部材２１を貫通し、ベース部材２１に対しては回転及び首振りしないように配置され、上端部近傍で下バネ受け部材５２を下バネ受け部材首振り軸線５５によって首振り可能に保持し、ベース部材２１の下方で操作部ＳＳをねじ込むことによってコイルスプリングＳＰの初期圧縮量を調整できるようにしている。
【００４８】
この構造の場合は、背凭れアーム３１が背凭れアーム回転軸３２を中心に後傾回動すると、背凭れアーム３１の前端部が上バネ受け部材５１を上方に押し上げ、バネ力伝達部材５３の上端部に保持されている下バネ受け部材５２との間でコイルスプリングＳＰを圧縮することになる。
【００４９】
この構造でも、背凭れアーム３１の後傾時に、コイルスプリングＳＰの反力の方向に対してバネ圧縮作用点３３の回動接線方向がずれていき、本発明の所望の効果が得られる。
【００５０】
図７には背座シンクロチルトシステムにこの反力機構を適用した例を作動概念図で示す。
【００５１】
ここに示す反力機構５は、前記図３、図４と基本的に同じであり、バネ力伝達部材５３をコイルスプリングＳＰを貫通させず、その左右両側に配置したものである。こうすれば、背凭れを後傾させていったときに、コイルスプリングの方向が変化できる範囲は、バネ力伝達部材がコイルスプリングの内径に収まる範囲に限定されることがない。
また、背座シンクロ機構は、ベース部材２１の上方に、前部をベース部材２１に対してスライド可能に取付け、背凭れアーム３１前部を背凭れアーム回転軸部分から略直角上方に伸ばした先端部に、ベース部材２１の後部を回動可能に連結して、背凭れアーム３１の後傾と連動するようにしている一般的な構造である。
本発明の反力機構に、座を連動するように連結するだけで実現可能であり、この場合も、本発明の効果が得られることがわかる。
【００５２】
本発明は、以上に示した以外にも、種々変形が可能である。
【００５３】
【発明の効果】
以上に詳述した本発明の椅子は、背凭れアームが後傾し、コイルスプリングが圧縮されるに従い、背凭れアームが回動しようとする方向に対して、コイルスプリングの全反力の方向が徐々にずれていくようにしたので、背凭れをチルトさせるための基本的なシステムを変更すること無く、椅子の座り心地の設計の自由度を大きくすることができる。
【図面の簡単な説明】
【図１】この出願に係る発明である椅子の主要な外観側面を示す図。
【図２】この出願に係る発明である椅子の主要な外観背面を示す図。
【図３】この出願に係る発明である椅子の背凭れが起立姿勢にあるときの主要部品の配置図。
【図４】この出願に係る発明である椅子の背凭れが後傾姿勢にあるときの主要部品の配置図。
【図５】この出願に係る発明である椅子の主要部品の構成図。
【図６】この出願に係る発明である椅子の反力機構が座の前部にある実施形態を示す図。
【図７】この出願に係る発明である椅子の反力機構を背座シンクロチルトシステムに適用した例を示す図。
【符号の説明】
１      脚
１１    脚羽根
１２    脚支柱
Ｃ      キャスター
ＧＳ    ガススプリング
２      座
２１    ベース部材
２１１  位置決め孔
２１２  バネ力伝達部材取付孔
３      背凭れ
３１    背凭れアーム
３１１  背凭れアーム回転軸取付孔
３２    背凭れアーム回転軸
３３    バネ圧縮作用点
３４    バネ受けブラケット
３４１  バネ受け干渉防止孔
３５    背凭れ取付けブラケット
４      支持体
４１    ガススプリング受け
４１１  ガススプリング嵌合孔
４１２  位置決め突起
４１３  背凭れアーム回転軸取付孔
４１４  後傾ストッパ
５      反力機構
５１    上バネ受け部材
５１１  バネ力伝達部材貫通長孔
５１２  バネ受け首振り軸
５２    下バネ受け部材
５２１  バネ力伝達部材貫通孔
５２２  窪み部
５３    バネ力伝達部材
５３１  回転止め部
５３２  先端ねじ部
５４    首振り用部材
５４１  バネ力伝達部材貫通孔
５４２  先端Ｒ部
５５    下バネ受け部材の首振り軸線
ＳＰ    コイルスプリング
ＭＣ    メカ部カバ−
ＳＳ    操作部
ＭＣ１  取付孔
【図１】
0004064679.tif 000002
【図２】
0004064679.tif 000003
【図３】
0004064679.tif 000004
【図４】
0004064679.tif 000005
【図５】
0004064679.tif 000006
【図６】
0004064679.tif 000007
【図７】
0004064679.tif 000008